(57)【要約】【課題】テーブル天板が劣化して交換が必要になった場合や、季節に合わせたテーブルの交換を欲する場合において、テーブル天板の全体を交換することなく目的を達することが可能なテーブルを提供すること。【解決手段】  テーブル天板（１２）と、該テーブル天板（１２）の下面に連結された脚部（１５）とを備えたテーブルであって、前記テーブル天板（１２）は、周縁部近傍を残して開口部（１３０１）が形成されるとともに、内周側に段差部（１３０２）が形成された枠体（１３）と、前記開口部（１３０１）を閉鎖する配置で、前記段差部（１３０２）上に周縁部が載置された天板本体（１４）と、を具備し、前記天板本体（１４）は、任意の箇所に切り欠き（１４０１）が形成されるとともに、この切り欠き（１４０１）内に電磁調理器（１７）が組み込まれていることを特徴とする。【選択図】図１
2006334307.tif 000002
【特許請求の範囲】
【請求項１】
テーブル天板（２）と、該テーブル天板（２）の下面に連結された脚部（５）とを備えたテーブルであって、
前記テーブル天板（２）は、
周縁部近傍を残して開口部（３０１）が形成されるとともに、内周側に段差部（３０２）が形成された枠体（３）と、
前記開口部（３０１）を閉鎖する配置で、前記段差部（３０２）上に周縁部が載置された天板本体（４）と、を具備したことを特徴とするテーブル。
【請求項２】
テーブル天板（１２）と、該テーブル天板（１２）の下面に連結された脚部（１５）とを備えたテーブルであって、
前記テーブル天板（１２）は、
周縁部近傍を残して開口部（１３０１）が形成されるとともに、内周側に段差部（１３０２）が形成された枠体（１３）と、
前記開口部（１３０１）を閉鎖する配置で、前記段差部（１３０２）上に周縁部が載置された天板本体（１４）と、を具備し、
前記天板本体（１４）は、任意の箇所に切り欠き（１４０１）が形成されるとともに、この切り欠き（１４０１）内に電磁調理器（１７）が組み込まれていることを特徴とするテーブル。
【請求項３】
前記枠体（１２）に一対の長尺の受け部（１６）を間隔を置いて略平行に連設し、この受け部（１６）に前記電磁調理器（１７）を係止したことを特徴とする請求項２に記載のテーブル。
【発明の詳細な説明】
【技術分野】
【０００１】
本発明はテーブルに係り、より詳しくは、テーブル天板の一部を自在に交換可能としたテーブルに関する。
【背景技術】
【０００２】
一般的に、家庭用、業務用を問わず、テーブルは、テーブル天板とこのテーブル天板の下面に連結された脚部により構成されており、テーブル天板はこれを分離することが不可能であった。
【０００３】
例えば、図９は、電磁調理装置を内蔵した電磁調理テーブル３１の構造を示す断面図であり、図において３２はテーブル天板である。
【０００４】
そして、この電磁調理テーブル３１において、前記テーブル天板３２の下面の四隅には脚部３３が連結されている。また、テーブル天板３２の中央部分には切り欠き３２０１が形成されており、この切り欠き３２０１に電磁調理器３４が組み込まれ、電磁調理器３４のトッププレート３５は、テーブル天板３２の上面に露出した構造としている。そして、使用に際しては、トッププレート３５上に金属製の鍋等、電磁誘導加熱可能な容器を載置し、この鍋を電磁誘導により発熱させて鍋料理等を行うことを可能としている。
【発明の開示】
【発明が解決しようとする課題】
【０００５】
ところで、このような電磁調理テーブル３１では、電磁誘導により鍋を加熱するために、この鍋からの熱によりテーブル天板３２も加熱されてしまい、それにより、長期間使用することにより、テーブル天板３２が劣化してしまうという問題点が指摘されており、このような場合にはテーブル天板を交換する必要が生じてくる。
【０００６】
しかしながら、前述したように、従来のテーブルではテーブル天板の下面に脚部を連結した構成としており、更にテーブル天板を分離することは不可能であったために、テーブル天板が劣化した場合には、テーブル天板の全体を交換しなければならずコスト面からも好ましくなかった。
【０００７】
また、このような電磁調理テーブルに限らず、一般的に食事等を行うテーブルの場合には、食事中に食材等がテーブル天板上にこぼれてしまいテーブル天板が汚れてしまうことがあるが、このような場合においても、従来のテーブルでは、テーブル天板全体を交換しなければならず、コストが上がってしまうという問題点がある。
【０００８】
更に、業務用、家庭用を問わず、テーブルを季節に合わせて交換したい場合があるが、このとき、従来のテーブルでは、テーブル天板全体を交換せざるを得ないために、費用がかかるとともに、従前まで使用していたテーブル天板の保管場所等に窮することが考えられる。
【０００９】
そこで本発明は、テーブル天板が劣化して交換が必要になった場合や、季節に合わせたテーブルの交換を欲する場合において、テーブル天板全体を交換することなく目的を達することが可能なテーブルを提供することを課題としている。
【課題を解決するための手段】
【００１０】
請求項１に記載された本発明のテーブルは、テーブル天板と、該テーブル天板の下面に連結された脚部とを備えたテーブルであって、前記テーブル天板は、周縁部近傍を残して開口部が形成されるとともに、内周側に段差部が形成された枠体と、前記開口部を閉鎖する配置で、前記段差部上に周縁部が載置された天板本体と、を具備したことを特徴としている。
【００１１】
また、請求項２に記載された本発明のテーブルは、テーブル天板と、該テーブル天板の下面に連結された脚部とを備えたテーブルであって、前記テーブル天板は、周縁部近傍を残して開口部が形成されるとともに内周側に段差部が形成された枠体と、前記開口部を閉鎖する配置で前記段差部上に周縁部が載置された天板本体と、を具備し、前記天板本体は、任意の箇所に切り欠きが形成されるとともに、この切り欠き内に電磁調理器が組み込まれていることを特徴としている。
【発明の効果】
【００１２】
本発明のテーブルでは、テーブルを構成するテーブル天板を、周縁部近傍を残して開口部が形成されるとともに内周側に段差部が形成された枠体と、この枠体における開口部を閉鎖する配置で、枠体の内周側に形成した前記段差部上に周縁部が載置された天板本体とにより構成しており、これにより天板本体を交換自在としている。
【００１３】
そのために、本発明のテーブルによれば、テーブル天板が劣化して交換が必要となった場合や、季節に合わせてテーブルを交換することを欲する場合には、テーブル天板全体を交換することなく天板本体のみを交換すればよく、費用を抑えることができるとともに、テーブル天板全体を交換する場合と比較して、従前まで使用していた天板本体の保管場所に窮することが無くなる。
【発明を実施するための最良の形態】
【００１４】
請求項１に記載の本発明のテーブルでは、テーブル天板の下側に脚部が連結される構成において、テーブル天板を、枠体と天板本体とで構成している。
【００１５】
そして、枠体は、内周側を開口部とした形態にするとともに、内周側には段差部が形成されており、前記天板本体は、前記開口部を閉鎖する配置で、前記段差部上に周縁部が載置され、これにより、枠体に天板本体が着脱自在に取り付けられている。
【００１６】
また、請求項２に記載の本発明のテーブルでは、テーブル天板の下側に脚部が連結される構成において、テーブル天板を、枠体と天板本体とで構成し、枠体は、内周側を開口部とした形態にするとともに、内周側には段差部が形成され、前記天板本体は、前記開口部を閉鎖する配置で、前記段差部上に周縁部が載置されており、これにより、枠体に天板本体が着脱自在に取り付けられている。
【００１７】
そして、天板本体は、その中央部分に切り欠きが形成されており、この切り欠き内には、電磁調理器が組み込まれている。
【００１８】
ここで、前記枠体に、一対の受け部を、間隔を置いて略平行に連設し、この受け部に電磁調理器を係止するとよく、これにより、容易に、天板本体に電磁調理器を組み込むことが可能になるとともに、電磁調理器を動かすことなく天板本体交換することが可能となる。
【００１９】
またその際に、天板本体と電磁調理器との間に空間が形成されるようにするとよく、これにより、天板本体の熱が電磁調理器に直接伝わることを防止でき、電磁調理器が熱による悪影響を受けることを有効に防止することができる。
【実施例１】
【００２０】
本発明のテーブルの実施例について図面を参照して説明すると、図１は本実施例のテーブルの平面図であり、また、図２は図１におけるＡ−Ａ線断面図であり、図において１が本実施例のテーブルである。そして、本実施例におけるテーブル１は、テーブル天板の下面に脚部を連結して構成されている。
【００２１】
即ち、図において２がテーブル天板であり、このテーブル天板２は、全体を長方形状としており、長方形状に枠組みされた枠体３と、この枠体３の内周側に着脱自在に取り付けられた天板本体４とで構成されている。
【００２２】
ここで、前記枠体３について説明すると、前記枠体３は、前述したように略長方形状に枠組みされており、それにより内周側は開口部３０１とされている。また、その下面において四隅近傍部分にはそれぞれ、脚部５が連設されている。更に、内周側全域は上部側を切り欠いて段差部３０２を形成しており、この段差部３０２上に天板本体４を載置可能としている。
【００２３】
一方、前記天板本体４は、前記開口部３０１を閉鎖可能な形状寸法とされており、その周縁部を前記段差部３０２上に載置することにより、前記開口部３０１を閉鎖して、枠体３とともにテーブル天板２を構成可能としている。この関係を示した図が図３であり、図３は、テーブル天板２を分解した状態の斜視図としている。
【００２４】
次に、このように構成される本実施例のテーブル１の作用について説明すると、本実施例のテーブルを使用するときは、天板本体４の周縁部を枠体３における段差部３０２上に載置して、これにより枠体３の開口部３０１を天板本体４で閉鎖して、適宜、天板本体４と段差部３０２とをビス等で固着し、これによりテーブル１が完成する。
【００２５】
そして、劣化や汚れ等によりテーブル天板２の交換を欲する場合には、また、季節に合わせてテーブル天板２を交換することを欲する場合には、天板本体４を枠体３から取り外し、他の天板本体４を、前述と同様の方法により枠体３に取り付けるのみでよく、テーブル天板２の全体を交換する必要が無い。
【００２６】
このように、本実施例のテーブル１では、枠体３とこの枠体３に着脱自在とした天板本体４によりテーブル天板２を構成しているため、テーブル天板２が劣化、汚れ、あるいは季節に合わせて交換したい場合には、天板本体４のみを交換するのみで対応できるため、コストを抑えることができるとともに、特に季節に合わせて天板本体４を交換した場合には、テーブル天板２の全体を交換した場合と比較して、従前まで使用していた天板本体４の保管場所に給することも無い。
【００２７】
なお、前述の実施例ではテーブル天板２を長方形状とした場合について説明したが、本発明のテーブルでは、必ずしもテーブル天板２を長方形状にする必要は無く、テーブル天板２の形状は限定されない。従って、その他、例えばテーブル天板を円形、あるいは正方形状にしてもよく、更に５角形以上の多角形状としてもよい。また、天板本体４の材質は特に限定されず、木製、ガラス製等にしてもよく、その表面に模様を描き、あるいは天板本体を透明にしてもよい。更にまた、天板本体４を２分割以上に分割可能にしてもよく、かかる場合においては、それぞれの天板本体の色、模様等を異なるものにすることによりテーブル本体を飾ることが可能となる。
【実施例２】
【００２８】
次に、本発明のテーブルの他の実施例について図面を参照して説明すると、図４は本実施例のテーブルの平面図であり、また、図５は図４におけるＢ−Ｂ線断面図、図６は図４におけるＣ−Ｃ断面図であり、図において１１が本実施例のテーブルである。そして、本実施例におけるテーブル１１では、前述の第１実施例におけるテーブル１において、天板本体１４に電磁調理器を組み込んだ形態としている。
【００２９】
即ち、本実施例のテーブル１１では、前述の実施例の場合と同様に、長方形状に枠組みされることにより内周側に開口部１３０１が形成された枠体１３と、この枠体１３の内周側に着脱自在に取り付けられた天板本体１４とによりテーブル天板１２が構成されており、枠体１３の下面における四隅近傍部分にはそれぞれ、脚部１５が連設され、更に、枠体１３の内周側全域には段差部１３０２が形成されている。
【００３０】
また、前記天板本体１４は、前記開口部１３０１を閉鎖可能な形状寸法とされており、その周縁部を前記段差部１３０２上に載置することにより、前記開口部１３０１を閉鎖して、これにより、枠体１３とともにテーブル天板１２を構成可能としている。
【００３１】
次に、図４乃至図６において１７は電磁調理器であり、即ち、本実施例のテーブル１１では、天板本体１４に電磁調理器１７を組み込んだ形態としている。
【００３２】
ここで、天板本体１４に電磁調理器１７を組み込む構造を説明すると、本実施例においては、天板本体１４における中央部分を、天板本体１４の上面をわずかな肉厚で残して削り取って、天板本体１４の下面に組み込み部１４０１を形成して、この組み込み部１４０１内に電磁調理器１７を組み込む構造としている。
【００３３】
そして、電磁調理器１７を天板本体１４の組み込み部１４０１内に組み込むに際しては、まず、長板状の受け部１６を２本用いて、この受け部１６を、間隔をおいて、かつ平行にして、前記段差部１３０２の下面に連結し、この受け部１６間に電磁調理器１７を配置しつつ、ブラケット１８によって、電磁調理器１７を前記受け部１６に係止し、これにより、電磁調理器１７を天板本体１４の組み込み部１４０１内に組み込む構造としている。そして、電磁調理器１７を受け部１６に係止するに際しては、電磁調理器１７が天板本体１４と非接触になるようにしている。
【００３４】
即ち、本実施例のテーブル１１では、電磁調理器１７を天板本体１４に組み込むに際して、電磁調理器１７を天板本体１４に係止するのではなく、受け部１６を用いて、電磁調理器１７が天板本体１４と非接触になるようにしている。
【００３５】
このように、本実施例のテーブルでは、天板本体１４に電磁調理器１７を組み込むとともに、その組み込みに際しては天板本体１４と電磁調理器１７とを非接触にしているために、前述の第１実施例のテーブルと同様に、テーブル天板の交換が必要な場合には天板本体１４のみを交換すれば良いとともに、その際には、天板本体１４に組み込んだ電磁調理器１７を取り外す必要もない。
【００３６】
また、電磁調理器１７を天板本体１４と非接触にしているために、天板本体１４と電磁調理器１７との間に空間が形成され、この空間の存在により、天板本体１４の熱が電磁調理器１７に直接に伝わることを防止することも可能である。
【００３７】
なお、請求項２に記載のテーブル１１では、テーブル天板１２を枠体１３とこの枠体に着脱自在とした天板本体１４とで構成するとともに、天板本体１４に形成した切り欠き１４０１内に電磁調理器１７を組み込んだことを特徴としているため、電磁調理器１７の組み込みに際しては必ずしも天板本体１４と非接触にする必要はない。
【００３８】
また、天板本体１４と電磁調理器１７を非接触にする場合、又は接触させる場合のいずれにおいても、天板本体１４に電磁調理器１７を係止する方法は特に限定されない。即ち、前述の実施例では、受け部１６を段差部１３０２の下面に連結した場合を説明したが、必ずしも受け部１６を段差部１３０２の下面に連結する必要はなく、電磁調理器１７を係止する受け部が形成されていればよい。
【００３９】
例えば、図７は、請求項２に記載のテーブルの他の形態における枠体１３を示す平面図であり、また、図８は、この形態のテーブル天板１２の縦断正面を示した断面図であり、この形態の枠体１３では、受け部１６を段差部１３０２と一体に構成し、段差部１３０２と受け部１６との段差を無くしている。そして、電磁調理器１７の上面を、ブラケット１８によって受け部１６に係止している。
【００４０】
更に、前述の実施例では、天板本体１４における中央部分を、天板本体１４の上面をわずかな肉厚で残して削り取って組み込み部１４０１を形成し、この組み込み部１４０１内に電磁調理器１７を組み込む構造としているが、必ずしもこのようにする必要もなく、前述した従来の電磁調理器テーブルと同様に、トッププレートを天板本体に露出させた形態としてもよい。
【産業上の利用可能性】
【００４１】
本発明のテーブルでは、テーブルを構成するテーブル本体を、枠体とこの枠体に着脱自在に装着される天板本体とで構成し、これによりテーブル天板が劣化等した場合や季節に合わせてテーブルを交換したい場合に、天板本体のみを交換可能としているために、業務用、家庭用を問わず、また電磁調理テーブルを含め、すべてのテーブルに適用可能である。
【図面の簡単な説明】
【００４２】
【図１】本発明のテーブルの第１実施例の平面図である。
【図２】図１におけるＡ−Ａ線断面図である。
【図３】本発明のテーブルの第１実施例におけるテーブル天板の分解斜視図である。
【図４】本発明のテーブルの第２実施例の平面図である。
【図５】図４におけるＢ−Ｂ線断面図である。
【図６】図４におけるＣ−Ｃ線断面図である。
【図７】請求項２に記載のテーブルの他の形態を説明するための図である。
【図８】請求項２に記載のテーブルの他の形態を説明するための図である。
【図９】従来の電磁調理テーブルを説明するための図である。
【符号の説明】
【００４３】
１、１１    テーブル
２、１２    テーブル天板
３、１３    枠体
３０１、１３０１    開口部
３０２、１３０２    段差部
４、１４    天板本体
１４０１    組み込み部
５、１５    脚部
１６    受け部
１７    電磁調理器
１８    ブラケット
【図１】
2006334307.tif 000003
【図２】
2006334307.tif 000004
【図３】
2006334307.tif 000005
【図４】
2006334307.tif 000006
【図５】
2006334307.tif 000007
【図６】
2006334307.tif 000008
【図７】
2006334307.tif 000009
【図８】
2006334307.tif 000010
【図９】
2006334307.tif 000011